【手続補正書】
【提出日】平成24年9月26日(2012.9.26)
【手続補正１】
【補正対象書類名】明細書
【補正対象項目名】０００９
【補正方法】変更
【補正の内容】
【０００９】
上記目的を達成するために、請求項１記載の画像処理装置は、画像データを読込んで、出力先デバイスに対して当該読込んだ画像データの出力の指示を行う読込み側デバイスとしての画像処理装置において、前記出力先デバイスを選択する選択手段と、前記選択手段により選択された前記出力先デバイスに対し、出力用設定に関する情報の送信を要求する要求手段と、前記要求手段により要求された前記出力用設定に関する情報及び当該出力用設定を実行する際の読込み用設定の制約条件を前記出力先デバイスから受信する受信手段と、前記受信手段により受信された前記制約条件のある前記読込み用設定に基づいて画像の読込みを実行する実行手段と、前記実行手段により読込まれた画像データと前記出力用設定に関する情報とを前記出力先デバイスに送信する送信手段と、を備えることを特徴とする。
【手続補正２】
【補正対象書類名】明細書
【補正対象項目名】００１０
【補正方法】変更
【補正の内容】
【００１０】
請求項１０記載の画像処理装置の制御方法は、画像データを読込んで、出力先デバイスに対して当該読込んだ画像データの出力の指示を行う読込み側デバイスとしての画像処理装置の制御方法において、前記出力先デバイスを選択する選択ステップと、前記選択ステップで選択された前記出力先デバイスに対し、出力用設定に関する情報の送信を要求する要求ステップと、前記要求ステップで要求された前記出力用設定に関する情報及び当該出力用設定を実行する際の読込み用設定の制約条件を前記出力先デバイスから受信する受信ステップと、前記受信ステップで受信された前記制約条件のある前記読込み用設定に基づいて画像の読込みを実行する実行ステップと、前記実行ステップで読込まれた画像データと前記出力用設定に関する情報とを前記出力先デバイスに送信する送信ステップと、を備えることを特徴とする。
【手続補正３】
【補正対象書類名】明細書
【補正対象項目名】００１１
【補正方法】変更
【補正の内容】
【００１１】
請求項１１記載のプログラムは、画像データを読込んで、出力先デバイスに対して当該読込んだ画像データの出力の指示を行う読込み側デバイスとしての画像処理装置の制御方法をコンピュータに実行させるプログラムにおいて、前記画像処理装置の制御方法は、前記出力先デバイスを選択する選択ステップと、前記選択ステップで選択された前記出力先デバイスに対し、出力用設定に関する情報の送信を要求する要求ステップと、前記要求ステップで要求された前記出力用設定に関する情報及び当該出力用設定を実行する際の読込み用設定の制約条件を前記出力先デバイスから受信する受信ステップと、前記受信ステップで受信された前記制約条件のある前記読込み用設定に基づいて画像の読込みを実行する実行ステップと、前記実行ステップで読込まれた画像データと前記出力用設定に関する情報とを前記出力先デバイスに送信する送信ステップと、を備えることを特徴とする。
【手続補正４】
【補正対象書類名】特許請求の範囲
【補正対象項目名】全文
【補正方法】変更
【補正の内容】
【特許請求の範囲】
【請求項１】
画像データを読込んで、出力先デバイスに対して当該読込んだ画像データの出力の指示を行う読込み側デバイスとしての画像処理装置において、
前記出力先デバイスを選択する選択手段と、
前記選択手段により選択された前記出力先デバイスに対し、出力用設定に関する情報の送信を要求する要求手段と、
前記要求手段により要求された前記出力用設定に関する情報及び当該出力用設定を実行する際の読込み用設定の制約条件を前記出力先デバイスから受信する受信手段と、
前記受信手段により受信された前記制約条件のある前記読込み用設定に基づいて画像の読込みを実行する実行手段と、
前記実行手段により読込まれた画像データと前記出力用設定に関する情報とを前記出力先デバイスに送信する送信手段と、
を備えることを特徴とする画像処理装置。
【請求項２】
前記受信手段により受信された前記出力用設定に関する情報を選択可能に表示する表示手段と、
読み込み用設定を入力する入力手段と、
選択された出力用設定と前記入力された読込み用設定の組み合わせにエラーがあるかを判断する判断手段と、
前記判断手段による判断結果に基づいて組み合わせエラーの前記読込み用設定を変更する変更手段と、
を更に備えることを特徴とする請求項１記載の画像処理装置。
【請求項３】
前記変更手段は、ユーザの指示に基づいて、あるいは自動的に前記読込み用設定を変更することを特徴とする請求項２記載の画像処理装置。
【請求項４】
前記表示手段は、前記判断手段により前記選択された出力用設定と前記入力された読込み用設定の組み合わせにエラーがあると判断された場合に、エラーメッセージを表示することを特徴とする請求項２又は３記載の画像処理装置。
【請求項５】
前記制約条件として読込み解像度を含むことを特徴とする請求項１から４のいずれか１項に記載の画像処理装置。
【請求項６】
前記制約条件として読込みカラーを含むことを特徴とする請求項１から４のいずれか１項に記載の画像処理装置。
【請求項７】
前記制約条件として読込みサイズを含むことを特徴とする請求項１から４のいずれか１項に記載の画像処理装置。
【請求項８】
前記要求手段は、前記出力先デバイスに対し、前記出力用設定に関する情報の送信の要求と共に、表示言語情報を送信し、
前記受信手段は、前記表示言語で、前記出力用設定に関する情報及び前記出力用設定を実行する際の読込み用設定の制約条件を前記出力先デバイスから受信することを特徴とする請求項１から７のいずれか１項に記載の画像処理装置。
【請求項９】
前記受信手段は、前記出力先デバイスに該当言語がない場合に、予め設定しておいたデフォルトの言語で前記出力用設定に関する情報及び前記出力用設定を実行する際の読込み用設定の制約条件を前記出力先デバイスから受信することを特徴とする請求項８記載の画像処理装置。
【請求項１０】
画像データを読込んで、出力先デバイスに対して当該読込んだ画像データの出力の指示を行う読込み側デバイスとしての画像処理装置の制御方法において、
前記出力先デバイスを選択する選択ステップと、
前記選択ステップで選択された前記出力先デバイスに対し、出力用設定に関する情報の送信を要求する要求ステップと、
前記要求ステップで要求された前記出力用設定に関する情報及び当該出力用設定を実行する際の読込み用設定の制約条件を前記出力先デバイスから受信する受信ステップと、
前記受信ステップで受信された前記制約条件のある前記読込み用設定に基づいて画像の読込みを実行する実行ステップと、
前記実行ステップで読込まれた画像データと前記出力用設定に関する情報とを前記出力先デバイスに送信する送信ステップと、
を備えることを特徴とする画像処理装置の制御方法。
【請求項１１】
画像データを読込んで、出力先デバイスに対して当該読込んだ画像データの出力の指示を行う読込み側デバイスとしての画像処理装置の制御方法をコンピュータに実行させるプログラムにおいて、
前記画像処理装置の制御方法は、
前記出力先デバイスを選択する選択ステップと、
前記選択ステップで選択された前記出力先デバイスに対し、出力用設定に関する情報の送信を要求する要求ステップと、
前記要求ステップで要求された前記出力用設定に関する情報及び当該出力用設定を実行する際の読込み用設定の制約条件を前記出力先デバイスから受信する受信ステップと、
前記受信ステップで受信された前記制約条件のある前記読込み用設定に基づいて画像の読込みを実行する実行ステップと、
前記実行ステップで読込まれた画像データと前記出力用設定に関する情報とを前記出力先デバイスに送信する送信ステップと、
を備えることを特徴とするプログラム。